(57)【要約】      （修正有）【課題】室内の壁や襖や床に使用される内装材本体で、従来のもののような感圧性接着材を用いることがなく複数枚が重ね合せられており、表面が汚れた際剥がす作業のみで、新しい内装材の表面を露出させ、従来の欠点を全て除去すること。【解決手段】少なくともその片面をエンボス形状とした第１層の内装材本体と、これに重なり合い第１層とは相反する形状のエンボス形状とした第２層の内装材本体でなしてなる。【選択図】図２
2005154943.tif 000002
【特許請求の範囲】
【請求項１】
少なくともその片面をエンボス形状とした第１層内装材本体と、これに重なり合い第１層内装材本体とは相反する形状のエンボス形状とした第２層内装材本体で構成されることを特徴とした複合内装材。
【請求項２】
上記請求項１で構成された第１層内装材本体と第２層内装材本体に加え、順次第３層内装材本体，第４層内装材本体と複数層で構成されることを特徴とした複合内装材。
【請求項３】
上記請求項１乃至２形成されるエンボス形状は、各層表面への押型成型あるいは印刷手段で構成されることを特徴とした複合内装材。
【発明の詳細な説明】
【技術分野】
【０００１】
本発明は室内の壁や襖にあるいは床に使用される薄紙などの内装材本体に関し、特に該内装材本体を複数枚重ね合せた内装材に関する。
【背景技術】
【０００２】
家屋にあって、壁や、襖や床は特に汚れや損傷、破損などが多く、定期的な貼り替えを余儀なくされる。しかし乍らその作業は大変面倒でかつ高度の熟練が要求され、結局専門職に委ねなければならず、出資が嵩むことになる。
【０００３】
これを解消する手段としては、複数のシートを接着剤を介して重ね合せ、表面のシートが汚れたり、損傷したりした場合は、そのシートを剥すことによって新たなシート面を露出させることで、かかるシートの貼り替える作業が簡単で業者に依存することなく素人でも容易にできるようにしたもの（実用新案文献１参照）がある。
【０００４】
しかし現実の問題として通常1年以上の貼り替え期間にあって上記接着剤が固形化して剥離し難い状態となり、新たに露出させた内装材の表面を損傷させる要因となる。また、室内にかかる接着剤の層を長年月放置することからカビを発生させる原因となり、その為の対策（特許文献２参照）が必要であり、さらにかかる樹脂類は一般的に室内環境に悪い影響を与るとの懸念から、その対策を構ずる（特許文献３参照）必要があるなど、結局内装材が高いものとなって仕舞う欠点があった。
【０００５】
【特許文献１】実用新案登録第３００８２２８号公報
【特許文献２】特開平７−３１７１６１号公報
【特許文献３】実用新案登録第３０４８６４７号公報
【発明の開示】
【発明が解決しようとする課題】
【０００６】
而して本発明の目的は室内の壁や襖や床に使用される内装材本体で、従来のもののような感圧性接着材を用いることがなく複数枚が重ね合せられており、表面が汚れた際剥がす作業のみで、新しい内装材の表面を露出させることが出来、従来の欠点を全て除去することにある。
【課題を解決するための手段】
【０００７】
前記目的を達成するために請求項１の発明は、少なくともその片面をエンボス形状とした第１層内装材本体と、これに重なり合い第１層内装材本体とは相反する形状のエンボス形状とした第２層内装材本体で構成されることを特徴とした複合内装材である。
【０００８】
また請求項２の発明は、上記請求項１で構成された第１層内装材本体と第２層内装材本体に加え、順次第３層内装材本体，第４層内装材本体と複数層で構成されることを特徴とした複合内装材である。
【０００９】
そして、請求項３の発明は、上記請求項１乃至２形成されるエンボス形状は、各層表面への押型成型あるいは印刷手段で構成されることを特徴とした複合内装材である。
【発明の効果】
【００１０】
即ち、本発明の内装材の特徴の１つは、少なくともその片面をエンボス形状とした第１層の内装材本体と、これに重なり合い第１層とは相反する形状のエンボス形状とした第２層の内装材本体で構成されることである。
【００１１】
この場合かかるエンボス加工はそれぞれの内装材本体の製造過程で周知手段で造形されるものであり、一般的に極く微細な凹凸形状であるから内装材表面に画かれた模様や風景や色彩には何んら異和感を与えるものではないのである。
【００１２】
而してこのような形状の内装材第１層と、同様形状の第２層を重ね合せ一対のロール間を通過させる手段などで、一体化させ市場に提供される。
【００１３】
なお、かかる内装材は、従来の手段と同様に壁や襖や床に第２層の裏面を貼り、この表面の第１層の内装材が損傷した場合は、単にかかる第１層を剥すだけで、新しい第２層の内装材の表面が露出されることになるのである。
従って重ね合せた各内装材間には接着剤は存在しないから、当該接着剤が強く凝って、第１層の内装材本体の剥離を拒んだり、第２層の内装材本体の表面に傷つけたりする虞れはなくなるというものである。
【００１４】
勿論この場合上記第１層の内装材本体と第２層の内装材本体に加え、順次第３層の内装材本体、第４層の内装材本体と複数層で構成すれば、第２層の内装材本体の表面が汚れたり損傷したりしたときも、すぐにこれを取外し、第３層の内装材を露呈させることだけで貼り替え作業が完了すること当然で、この点も本発明の特徴となっている。
【００１５】
なお上記のエンボス形状は種々考えられるが、各層表面への押型成型あるいは各種模様や色彩の印刷工程にあって同時に凹凸の加工を行えばその作業も容易で、この点も本発明の特徴である。
【００１６】
なお本発明にはその他に優れた発明の目的、特徴、作用効果を有するが、これらは以下の実施例の説明で明らかにする。
【発明を実施するための最良の形態】
【００１７】
次に発明の一実施例を図で説明する。
【００１８】
図１で１は室内の壁や、床や、襖にあって、襖２に用いられる薄い紙状の内装材を例にとったものであり、一般的には同材料，同質，同形状の外内装材本体（図１では第１層）の内装材本体３，第２層の内装材本体４，第３層の内装材本体５を重ね合せたものである。
【００１９】
また６はこれら内装材本体３乃至５の表面に画いた色彩を施した模様などの図柄であり、当然のこと乍ら、これら図柄は各内装材本体５のそれぞれが異なったものとすると、貼り替え毎に興味深いものがある。
【００２０】
而して図２乃至図５にみられるように、上記第１層の内装材本体３の裏面、第２層の内装材本体４は表裏両面、第３層の内装材本体４の表面にはそれぞれ数ミリ乃至数ミクロンの凹凸形状８からなるエンボス模様７を造型させる。
【００２１】
このエンボス模様７の造型手段はその形状が比較的硬いものとなるように工夫されれば、その手段は問わないが、図６に示すように一対のロール９間に内装材１を通過させる過程にあって該ロール９の一方に上記凹凸形状８に見合う凹凸形状１０を設けたものを用いるとよい。
【００２２】
次いで仮令えば第１層の内装材本体３と第２層の内装材本体４の表面、次いで同内装材本体４の裏面と第３層の内装材本体５の表面にエンボス模様７を造型し、それぞれを重ね合せた結果、図２に示すようにそれぞれの内装材本体３乃至５は、一体的に重ね合せられた内装材１を得ることができたのである。
【００２３】
この内装材１を使用することは、室内の壁あるいは襖など所望の位置に図で第３層の内装材本体５を、接着剤等を用いて貼装する。そして長期間の使用等にかかる内装材１の表面が汚れたり損傷したりして使用に耐えなくなったなら、第１層の内装材本体３を第４層の内装材４より取外す簡単な作業で、第４層の内装材４の表面を露呈させることができたのである。
【００２４】
なお、上記の実施例に於けるエンボス模様７は図３のように凹凸の形状８ではなく危険のない簡単な針状１１あるいは、所謂マジックテープの掛止に用いられる「絡み」を目的としたループ形状のものでもよい。
【００２５】
また上記実施例では内装材１自身に各種形状のエンボス模様７を施した。しかし乍ら上記各内装材本体３乃至５の下面あるいは両面に接着剤層１２を設ける場合、該設ける作業と同時に当該接着剤層１２の露出面１３に上記のような各種形状のエンボス模様７を造型するようにしてもよい。
【００２６】
さらにかかる接着剤層１２は、その粘着力で各内装材本体３乃至５を貼り合せるのでなく、単にエンボス模様７を造型する目的であるからすぐかたまり、室内環境に悪い影響をもたらすような既存の接着剤を用いる必要はない。
【図面の簡単な説明】
【００２７】
【図１】一部を剥離した内装材全体の正面図
【図２】各内装材本体の重ね合せ状態を説明する断面説明図
【図３】他の実施例の各内装材本体の重ね合せ状態を説明する断面説明図
【図４】他の実施例の各内装材本体の重ね合せ状態を説明する断面説明図
【図５】他の実施例の各内装材本体の重ね合せ状態を説明する断面説明図
【図６】内装材本体の造型過程を示す説明図
【符号の説明】
【００２８】
１    内装材
２    襖
３    第１層の内装材本体
４    第２層の内装材本体
５    第３層の内装材本体
６    図柄
７    エンボス模様
８    凹凸形状
９    ロール
１０  凹凸形状
１１  針状
１２  接着剤層
１３  露出面
【図１】
2005154943.tif 000003
【図２】
2005154943.tif 000004
【図３】
2005154943.tif 000005
【図４】
2005154943.tif 000006
【図５】
2005154943.tif 000007
【図６】
2005154943.tif 000008